(57)【要約】【課題】この発明は、画像形成中に、インデックスシートを自動的に生成することができる画像形成装置を提供することを目的とする。【解決手段】ロール紙を裁断手段によって裁断することにより定形シートを生成し、生成された定形シートに画像を形成する機能を備えた画像形成装置において、裁断手段による裁断タイミングを定形シートを生成する場合に対してずらすことにより、定形シートにインデックス部がついたインデックスシートを生成する手段を備えている。【選択図】図１
2007248798.tif 000002
【特許請求の範囲】
【請求項１】
ロール紙を裁断手段によって裁断することにより定形シートを生成し、生成された定形シートに画像を形成する機能を備えた画像形成装置において、裁断手段による裁断タイミングを定形シートを生成する場合に対してずらすことにより、定形シートにインデックス部がついたインデックスシートを生成する手段を備えていることを特徴とする画像形成装置。
【請求項２】
ロール紙を裁断手段によって裁断することにより定形シートを生成し、生成された定形シートに画像を形成する機能を備えた画像形成装置において、裁断手段が定形シートを裁断するための第１の刃と、定形シートにインデックス部がついたインデックスシートを生成するための第２の刃を備えており、定形シートを生成する際には第１の刃を用いてロール紙を裁断させ、インデックスシートを生成する際には第２の刃を用いてロール紙を裁断させる手段を備えていることを特徴とする画像形成装置。
【請求項３】
第２の刃は、まず、定形シートの搬送方向の後端辺の長さ中間部から一端側の間に後方突出状インデックス部が形成された第１のインデックスシートを生成し、続いて、定形シートの搬送方向の前端辺の長さ中間部から他端側の間に前方突出状インデックス部が形成された第２のインデックスシートを生成するような形状であることを特徴とする請求項２に記載の画像形成装置。
【請求項４】
第２のインデックスシートを、反転させて排出する機構を備えていることを特徴とする請求項３に記載の画像形成装置。
【発明の詳細な説明】
【技術分野】
【０００１】
この発明は、ロールシートを裁断することにより記録紙を生成する機能を備えた画像形成装置に関する。
【背景技術】
【０００２】
通常、出力原稿を仕切るのに用いられるインデックスは、原稿を出力し終わってから、所定の出力原稿にインデックスシールを張り付けたり、インデックスシートを挿入したりしている。
【特許文献１】特開２００２−１７９３３３号公報
【特許文献２】特開２００４−７４５４４号公報
【発明の開示】
【発明が解決しようとする課題】
【０００３】
この発明は、画像形成中に、インデックスシートを自動的に生成することができる画像形成装置を提供することを目的とする。
【課題を解決するための手段】
【０００４】
請求項１に記載の発明は、ロール紙を裁断手段によって裁断することにより定形シートを生成し、生成された定形シートに画像を形成する機能を備えた画像形成装置において、裁断手段による裁断タイミングを定形シートを生成する場合に対してずらすことにより、定形シートにインデックス部がついたインデックスシートを生成する手段を備えていることを特徴とする。
【０００５】
請求項２に記載の発明は、ロール紙を裁断手段によって裁断することにより定形シートを生成し、生成された定形シートに画像を形成する機能を備えた画像形成装置において、裁断手段が定形シートを裁断するための第１の刃と、定形シートにインデックス部がついたインデックスシートを生成するための第２の刃を備えており、定形シートを生成する際には第１の刃を用いてロール紙を裁断させ、インデックスシートを生成する際には第２の刃を用いてロール紙を裁断させる手段を備えていることを特徴とする。
【０００６】
請求項３に記載の発明は、請求項２記載の発明において、第２の刃は、まず、定形シートの搬送方向の後端辺の長さ中間部から一端側の間に後方突出状インデックス部が形成された第１のインデックスシートを生成し、続いて、定形シートの搬送方向の前端辺の長さ中間部から他端側の間に前方突出状インデックス部が形成された第２のインデックスシートを生成するような形状であることを特徴とする。
【０００７】
請求項４に記載の発明は、請求項３記載の発明において、第２のインデックスシートを反転させて排出する機構を備えていることを特徴とする。
【発明の効果】
【０００８】
この発明によれば、画像形成中に、インデックスシートを自動的に生成することができるようになる。
【発明を実施するための最良の形態】
【０００９】
以下、図面を参照して、この発明を複写機に適用した場合の実施例について説明する。
【実施例１】
【００１０】
図１は、複写機の概略構成を示している。
【００１１】
複写機本体の上面には、自動原稿搬送装置（ＡＤＦ）１が設けられている。複写機本体内の下部には、カット紙が収納されたカット紙用給紙カセット２、所定サイズ（この例ではＡ４サイズ）の長辺を幅とするロール紙Ｒが収納されたロール紙用給紙カセット３およびロール紙Ｒを裁断するための裁断装置（裁断手段）４が設けられている。裁断装置４は、裁断用の刃とその駆動機構を備えている。裁断装置４は、図示しない複写動作を制御するＣＰＵによって制御される。
【００１２】
複写機本体内の上部には、露光機構（図示略）、プリント機構および記録紙搬送機構が設けられている。
【００１３】
図示しない露光機構は、原稿画像を読み取り、読み取った原稿画像に応じたレーザ光を出力する。プリント機構は、感光体ドラム１０を備えている。感光体ドラム１０は、図示しないモータによって、矢印の方向に回転駆動される。感光体ドラム１０の表面の感光層には、露光機構によって原稿画像に応じたレーザ光が照射されることにより、静電潜像が形成される。
【００１４】
感光体ドラム１０の周囲には、その回転方向の順に、感光体ドラム１０の表面の感光層を帯電させる帯電器１１、感光層上に形成された静電潜像をトナー像として顕像化する現像装置１２、感光層上に形成されたトナー顕像を記録紙に転写するための転写ローラ１３、転写後の感光体ドラム１０上に残留しているトナーを除去するクリーニング装置１４および感光体ドラム１０の表面の電荷を除去する除電器１５が配されている。
【００１５】
記録紙搬送機構は、カット紙用給紙カセット２から上方にのびて排紙トレイ５までのびた記録紙搬送経路２１と、記録紙を反転させるための反転経路２２とを備えている。
【００１６】
記録紙搬送経路２１の感光体ドラム１０の上流側には、記録紙を所定のタイミングで感光体ドラム１０に搬送するためのレジストローラ対３２が設けられている。記録紙搬送経路２１のレジストローラ対３２の上流側には、搬送ローラ対３１が設けられている。記録紙搬送経路２１の感光体ドラム１０の下流側には、定着ローラ対３３が設けられている。記録紙搬送経路２１の定着ローラ対３３の下流側には、排出ローラ対３４が設けられている。カット紙用給紙カセット２から給紙されたカット紙（記録紙）またはロール紙用給紙カセット３から繰り出されかつ裁断装置４によって裁断されたシート（記録紙または後述するインデックスシート）は、記録紙搬送経路２１に送られる。
【００１７】
反転経路２２は、排出ローラ対３４によって後端部が挟まれた状態となった記録紙（またはインデックスシート）を、反転させた状態でレジストローラ対３２に送るものであり、搬送ローラ対４１、４２を備えている。記録紙（またはインデックスシート）を反転させる場合には、排出ローラ対３４によって記録紙（またはインデックスシート）の後端部が挟まれた状態となったときに、排出ローラを反転させてその記録紙を反転経路２２に送る。反転経路２２に送られた記録紙（またはインデックスシート）は、搬送ローラ対４１、４２によって、反転経路２２を通って、レジストローラ対３２に送られる。
【００１８】
この実施例では、ロール紙Ｒを用いて複数枚の出力原稿を生成する場合に、予め指定された箇所（予め指定された２つの出力原稿の間）に、インデックスシートを自動的に挿入させることが可能である。
【００１９】
図２は、ロール紙Ｒと、ロール紙Ｒを裁断するための裁断装置４の刃４ａの横断面形状を示している。裁断装置４の刃４ａの横断面形状はロール紙Ｒの幅方向（ロール紙Ｒの搬送方向に直交する方向）に平行な直線状である。
【００２０】
通常の出力原稿用の定形シート５１を生成するときには、図３（ａ）に示すように、裁断後のシートの搬送方向の長さＬが予め規定されたＡ４サイズの短辺と同じ長さＡとなるようなタイミングで、ロール紙用給紙カセット３から繰り出されたロール紙Ｒを裁断する。これにより、定形シート５１が生成される。
【００２１】
一方、インデックスシート（定形シートにインデックス部が付いたシート）を生成するときには、図３（ｂ）に示すように、裁断後のシートの搬送方向の長さＬが予め規定されたＡ４サイズの短辺より長い長さＢ（＝Ａ＋ｘ）となるようなタイミングで、ロール紙用給紙カセット３から繰り出されたロール紙Ｒを裁断する。これにより、インデックスシート５２が生成される。図３（ｂ）において、斜線部がインデックス部である。
【００２２】
つまり、ロール紙Ｒを裁断する裁断装置４の裁断タイミングを制御することにより、定形シートと、インデックスシートとを生成する。
【００２３】
なお、ロール紙Ｒを用いて複数枚の出力原稿を生成する場合に、予め指定された出力原稿にインデックス部を設けることも可能である。つまり、定形シートを生成するときには、図３（ａ）に示すように、裁断後のシートの搬送方向の長さＬが予め規定されたＡ４サイズの短辺と同じ長さＡとなるようなタイミングで、ロール紙用給紙カセット３から繰り出されたロール紙Ｒを裁断する。インデックス部付きの出力原稿用シートを生成するときには、図３（ｂ）に示すように、裁断後のシートの搬送方向の長さＬが予め規定されたＡ４サイズの短辺より長い長さＢ（＝Ａ＋ｘ）となるようなタイミングで、ロール紙用給紙カセット３から繰り出されたロール紙Ｒを裁断する。この場合には、インデックス部付きの出力原稿用シートに対しても、対応する原稿画像が印刷される。
【実施例２】
【００２４】
上記実施例１では、ロール紙Ｒを裁断する裁断装置４の裁断タイミングを制御することにより、通常の出力原稿用の定形シートと、インデックスシートとを生成しているが、裁断装置４に２種類の刃を設け、刃を切り換えることにより、定形シートと、インデックスシートとを生成するようにしてもよい。
【００２５】
図４は、ロール紙Ｒと、裁断装置４に設けられた２種類の刃４ａ、４ｂを示している。４ａは定形シート用の裁断刃であり、４ｂはインデックスシート生成用の裁断刃である。      
【００２６】
定形シート用裁断刃４ａの横断面形状はロール紙Ｒの幅方向（ロール紙Ｒの搬送方向に直交する方向）に平行な直線状である。インデックスシート生成用裁断刃４ｂの横断面形状は、ロール紙Ｒの幅方向（ロール紙Ｒの搬送方向に直交する方向）に平行な左側部分１０１と、左側部分１０１に平行でかつ所定距離だけロール紙搬送方向の後方にある右側部分１０２と、それらを連結する連結部分１０３とからなる。
【００２７】
通常の出力原稿用の定形シートを生成するときには、定形シート用裁断刃４ａを用いてロール紙Ｒを裁断することにより、図３（ａ）に示すような、定形シート５１を生成する。一方、インデックスシートを生成するときには、インデックスシート生成用裁断刃４ｂを用いてロール紙Ｒを裁断することにより、まず、図５（ａ）に示すように、定形シートの搬送方向の後側の辺の右半分に後方突出状のインデックス部６１ａが設けられた第１のインデックスシート６１が生成され、続いて、図５（ｂ）に示すように、定形シートの搬送方向の前側の辺の左半分に前方突出状のインデックス部６２ａが設けられた第２のインデックスシート６２が生成される。
【００２８】
両インデックスシート６１、６２が排出された場合に、両インデックス部６１ａ、６２ａが、同じ辺側にくるように第２のインデックスシート６２に対しては、反転経路を通すことにより、反転させた後に、排出させる。第２のインデックスシート６２を反転経路によって反転させると、図５（ｃ）のような状態となる。
【００２９】
なお、インデックスシート６１、６２に対しても原稿画像を印刷させることが可能であるので、ロール紙Ｒを用いて複数枚の出力原稿を生成する場合に、予め指定された出力原稿にインデックス部を設けることができる。
【図面の簡単な説明】
【００３０】
【図１】複写機の概略構成を示すブロック図である。
【図２】ロール紙Ｒと、ロール紙Ｒを裁断するための裁断装置４の刃４ａの横断面形状を示す模式図である。
【図３】定形シートとインデックスシートとを示す模式図である。
【図４】ロール紙Ｒと、裁断装置４に設けられた２種類の刃４ａ、４ｂを示す模式図である。
【図５】第１のインデックスシート、第２のインデックスシートおよび第２のインデックスシートが反転経路によって反転された状態を示す模式図である。
【符号の説明】
【００３１】
３  ロール紙用給紙カセット
４  裁断装置
５１  定形シート
５２、６１、６２  インデックスシート
【図１】
2007248798.tif 000003
【図２】
2007248798.tif 000004
【図３】
2007248798.tif 000005
【図４】
2007248798.tif 000006
【図５】
2007248798.tif 000007